(57)【要約】【課題】本考案は、壁の電源装置と結合させることができ、スペースの節約ができるとともに、一般照明と緊急照明を制御する機能を備えている、緊急照明機能を備えた電源装置を提供する。【解決手段】本考案は、壁面に設けられるパネルと、前記パネルに設けられる少なくとも一つの発光素子及び少なくとも一つのＤＣ電源コンセント及び少なくとも一つの電源装置（ＡＣ電源コンセント、或いは、室内電灯スイッチ）及び少なくとも一つの前記発光素子を制御する制御部材と、からなる。また、前記電源装置は、制御モジュールに電気的に接続され、制御モジュールは、電力検知ユニットを備えるとともに、少なくとも一つの電力供給素子に電気的に接続される。【選択図】図２
0003175936.tif 000002
【実用新案登録請求の範囲】
【請求項１】
壁面に設けられるパネルと、前記パネルに設けられる少なくとも一つの発光素子及びＤＣ電源コンセント及びＡＣ電源コンセント及び前記発光素子を制御する制御部材と、制御モジュールと、少なくとも一つの電力供給素子とからなる緊急照明機能を備えた電源装置であって、
前記制御モジュールは、電力の有無を判断する電力検知ユニットを備え、前記制御モジュールは、前記ＡＣ電源コンセントに電気的に接続され、
前記電力供給素子は、前記制御モジュールに電気的に接続され、前記電力供給素子は、前記発光素子及び前記ＤＣ電源コンセントに必要な電力を供給することを特徴とする、緊急照明機能を備えた電源装置。
【請求項２】
前記発光素子は、ＬＥＤランプ、或いは、ハロゲンランプであり、前記ＤＣ電源コンセントは、ＵＳＢポート、或いは、Ｍｉｃｒｏ  ＵＳＢポートであり、前記電力供給素子は、蓄電池、或いは、スーパーキャパシタであることを特徴とする、請求項１に記載の緊急照明機能を備えた電源装置。
【請求項３】
壁面に設けられるパネルと、前記パネルに設けられる少なくとも一つの発光素子及びＤＣ電源コンセント及び電源装置及び前記発光素子を制御する制御部材と、制御モジュールと、少なくとも一つの電力供給素子とからなる緊急照明機能を備えた電源装置であって、
前記制御モジュールは、電力検知ユニットを備え、前記制御モジュールは、前記電源装置に電気的に接続され、
前記電力供給素子は、前記制御モジュールに電気的に接続され、前記電力供給素子は、前記発光素子及び前記ＤＣ電源コンセントに必要な電力を供給することを特徴とする、緊急照明機能を備えた電源装置。
【請求項４】
前記電源装置は、ＡＣ電源コンセント、或いは、室内電灯スイッチであることを特徴とする、請求項３に記載の緊急照明機能を備えた電源装置。
【請求項５】
前記発光素子は、ＬＥＤランプ、或いは、ハロゲンランプであり、ＤＣ電源コンセントは、ＵＳＢポート、或いは、Ｍｉｃｒｏ  ＵＳＢポートであり、前記電力供給素子は、蓄電池、或いは、スーパーキャパシタであることを特徴とする、請求項３に記載の緊急照明機能を備えた電源装置。
【考案の詳細な説明】
【技術分野】
【０００１】
本考案は緊急照明ランプに関し、特に電源装置に統合することができ、取り付け取り換えが行いやすく、構造が簡単で、実用性の高い、緊急照明機能を備えた電源装置に関する。
【背景技術】
【０００２】
台湾特許第０９６２００２９２号には、緊急照明ランプを備えたスイッチ台座が開示されている。図１を参照する。図１は、従来の緊急照明ランプを示した概略図である。図から分かるように、緊急照明ランプを備えたスイッチ台座は、座体と、蓋体１０１と、回路板と、スイッチボタン１０２と、電力貯蔵放出ユニットと、少なくとも一つのＬＥＤ１０３と、からなる。座体内には、回路板が設けられ、回路板は、スイッチボタン１０２に電気的に接続される。電力貯蔵放出ユニットは、回路板に電気的に接続され、電力貯蔵放出ユニットの一端は電源に接続され、電力貯蔵放出ユニットの他端は、少なくとも一つのＬＥＤ１０３に電気的に接続されて回路を形成する。蓋体１０１は、座体の上に被せられる。以上の構造により、具緊急照明ランプ之スイッチ台座となる。
【０００３】
しかしながら、上述の緊急照明ランプは、使用時に、以下の問題と欠点が存在するため、改善が待たれている。
一、スイッチ台座に限定されており、使用者がプラグを差し込もうとしても差し込むことができない。
二、断電の時にしか使用できず、電力がある時のその他の用途の照明として使用することができない。
三、照明の輝度を調整することができない。
四、ＤＣ電源の出力として使用することができない。
【先行技術文献】
【特許文献】
【０００４】
【特許文献１】台湾特許第０９６２００２９２号明細書
【考案の概要】
【考案が解決しようとする課題】
【０００５】
そこで、本考案は、壁の電源装置と結合させることができ、スペースの節約ができるとともに、一般照明と緊急照明を制御する機能を備えている、緊急照明機能を備えた電源装置を提供することを目的とする。
【０００６】
また、本考案は、ＤＣ電源コンセントによって、ＤＣ直流電源を使用している電気製品に対しても電力の供給を行うことができる、緊急照明機能を備えた電源装置を提供することを目的とする。
【０００７】
また、本考案は、制御部材によって、正常な電力供給下であっても発光素子を起動させて照明効果を得ることができる、緊急照明機能を備えた電源装置を提供することを目的とする。
【課題を解決するための手段】
【０００８】
上述の目的を達成するために、本考案は、壁面に設けられるパネルと、前記パネルに設けられる少なくとも一つの発光素子及び少なくとも一つのＤＣ電源コンセント及び少なくとも一つの電源装置（ＡＣ電源コンセント、或いは、室内電灯スイッチ）及び少なくとも一つの前記発光素子を制御する制御部材と、からなる。また、前記電源装置は、制御モジュールに電気的に接続され、制御モジュールは、電力検知ユニットを備えるとともに、少なくとも一つの電力供給素子に電気的に接続される。電力検知ユニットが電力を検知し続けている時は、建物の電力が正常に供給されていることを示す。この時、建物の電源は、電力供給素子に対して充電を行い、使用者は、制御部材を介して、発光素子を点滅させたり、ＤＣ電源コンセントに差し込んで充電を行ったりすることができ（いずれも建物の電源の電力を利用する）、電源装置を正常に作動させることができる。もし、電力検知ユニットが断電を検知した時は、制御モジュールはすぐに電力供給素子を制御し、発光素子及びＤＣ電源コンセントに対して電力を供給することができ、緊急照明と緊急電力利用を使用することができる。
【図面の簡単な説明】
【０００９】
【図１】従来の緊急照明ランプを示した概略図である。
【図２】本考案の実施例１を壁に結合させた状態を示した外観図である。
【図３】本考案の実施例１を壁に結合させた状態の構造を示した説明図である。
【図４】本考案の実施例２を壁に結合させた状態を示した外観図である。
【図５】本考案の実施例２を壁に結合させた状態の構造を示した説明図である。
【図６】本考案の実施例３を壁に結合させた状態を示した外観図である。
【考案を実施するための形態】
【００１０】
（実施例１）
図２と図３を参照する。図２は、本考案の実施例１を壁に結合させた状態を示した外観図であり、図３は、本考案の実施例１を壁に結合させた状態の構造を示した説明図である。図から分かるように、本考案は、壁面に設けられるパネル１と、パネル１に設けられた少なくとも一つの発光素子２及びＤＣ電源コンセント３及びＡＣ電源コンセント４及び発光素子２を制御するための制御部材５と、制御モジュール６と、少なくとも一つの電力供給素子７と、からなる。
【００１１】
発光素子２は、ＬＥＤランプ、或いは、ハロゲンランプであり、ＤＣ電源コンセント３は、ＵＳＢポート、或いは、Ｍｉｃｒｏ  ＵＳＢポートである。
【００１２】
制御モジュール６は、電力検知ユニット６１を備え、制御モジュール６は、ＡＣ電源コンセント４と電気的に接続される。
【００１３】
電力供給素子７は、制御モジュール６と電気的に接続され、電力供給素子７は、発光素子２とＤＣ電源コンセント３に必要な電力を供給する。なお、電力供給素子７は、蓄電池或いはスーパーキャパシタである。
【００１４】
建物の電源の電力供給が正常の時、電力検知ユニット６１が検知・判断した状態は、電力がある状態である。この時、建物の電源は、ＡＣ電源コンセント４及びＤＣ電源コンセント３及び発光素子２に電源を供給する。そして、使用者は、電子製品をＡＣ電源コンセント４及びＤＣ電源コンセント３に差し込むことで、必要な電力を得ることができる。また、使用者は、制御部材５により、発光素子２の点滅を制御することができるとともに、制御部材５は、発光素子２の輝度も制御することができる。
【００１５】
もし、建物の電源が断電した時は、電力検知ユニット６１が検知・判断した状態は無電状態であり、この時、電力検知ユニット６１は、断電信号を制御モジュール６へ送り、制御モジュール６が電力供給素子７を起動させ、ＤＣ電源コンセント３及び発光素子２に電力を供給する。発光素子２は、電力供給素子７から電力を受けるとすぐに発光する。また、使用者は、ＤＣ電源コンセント３を利用して、電子製品に緊急の電力供給、或いは、充電を行うことができる。
【００１６】
また、電力検知ユニット６１が電力を検知した時は、すぐに、制御モジュール６に通電信号を送る。また、制御モジュール６は、電力供給素子７の電力の供給を停止させることができるとともに、電力供給素子７に対して充電の動作を行わせることもできる。また、ＤＣ電源コンセント３と発光素子２への電力供給を、元々の電力供給素子７を介しての方式から、建物の電源を介する方式に換えることができる。
【００１７】
（実施例２）
図４と図５を参照する。図４は、本考案の実施例２を壁に結合させた状態を示した外観図であり、図５は、本考案の実施例２を壁に結合させた状態の構造を示した説明図である。図から分かるように、本考案の実施例２は、壁面に設けられるパネル１ａと、パネル１ａに設けられる少なくとも一つの発光素子２ａ及びＤＣ電源コンセント３ａ及び電源装置８ａ及び発光素子２ａを制御する制御部材５ａと、制御モジュール６ａと、少なくとも一つの電力供給素子７ａとからなる。光素子２ａは、ＬＥＤランプ、或いは、ハロゲンランプであり、電源装置８ａは、ＡＣ電源コンセント、或いは、室内電灯スイッチである（この実施例では、室内電灯スイッチである）。また、ＤＣ電源コンセント３ａは、ＵＳＢポート、或いは、Ｍｉｃｒｏ  ＵＳＢポートである（この実施例では、ＵＳＢポートである）。
【００１８】
制御モジュール６ａは、電力検知ユニット６１ａを備え、制御モジュール６ａは、電源装置８ａに電気的に接続される。電力供給素子７ａは、蓄電池、或いは、スーパーキャパシタである。電力供給素子７ａは、制御モジュール６ａに電気的に接続され、電力供給素子７ａは、発光素子２ａ及びＤＣ電源コンセント３ａに必要な電力を提供する。
【００１９】
実施例２の作動は、実施例１とほぼ同じであるため、ここでは多くを説明しない。実施例１と異なる箇所は、使用者は、前記室内電灯スイッチを押す、或いは、回転させる、或いはタッチすることで、電灯の制御をおこなうことができるという点である。つまり、本考案は、ＡＣ電源コンセントを結合できるだけでなく、室内電灯スイッチも結合することができるため、進歩性があり、優れた拡充性、運用性をそなえている。
【００２０】
（実施例３）
図６を参照する。図６は、本考案の実施例３を壁に結合させた状態を示した外観図である。図から分かるように、本考案のパネル１ｂには、少なくとも一つのＤＣ電源コンセント３ｂ、少なくとも一つの発光素子２ｂ、ＡＣ電源コンセント４ｂ、室内電灯スイッチ９ｂ、制御部材５ｂが設けられている。このことから分かるように、本実施例が、前述の二つの実施例と異なるのは、本実施例がＡＣ電源コンセント４ｂ及び室内電灯スイッチ９ｂを併存させている点である。本考案は汎用性が高く、各種様々な電源装置に使用することができる。
【００２１】
全ての図を参照する。本考案には、以下の利点が存在する。
一、壁の電源装置８ａと結合させることができ、スペースの節約ができるとともに、緊急照明として使用することができる。
二、ＤＣ電源コンセント３によって、ＤＣ直流電源を使用している電気製品に対しても電力の供給を行うことができる。
三、制御部材５によって、正常な電力供給下であっても発光素子２を起動させて照明効果を得ることができる。
【符号の説明】
【００２２】
１０１                      蓋体
１０２                             スイッチボタン
１０３                      ＬＥＤ
１、１ａ、１ｂ       パネル
２、２ａ、２ｂ       発光素子
３、３ａ、３ｂ       ＤＣ電源コンセント
４、４ｂ                    ＡＣ電源コンセント
５、５ａ、５ｂ       制御部材
６、６ａ             制御モジュール
６１、６１ａ        電力検知ユニット
７、７ａ            電力供給素子
８ａ                               電源装置
９ｂ                               室内電灯スイッチ
【図１】
0003175936.tif 000003
【図２】
0003175936.tif 000004
【図３】
0003175936.tif 000005
【図４】
0003175936.tif 000006
【図５】
0003175936.tif 000007
【図６】
0003175936.tif 000008